(57)【要約】【課題】本発明は、記録面を上向きにして排出する場合にも記録動作が速やかに行うことができる原稿読取装置を提供することを目的とするものである。【解決手段】原稿読取装置１０は、原稿搬送路の一方の側に配置されて原稿の一方の面を読み取る第一読取部２４と、原稿搬送路の他方の側に配置されて原稿の他方の面を読み取る第二読取手段２５と、ファックスモード設定時に第一読取部２４を原稿の表面に対応する読取手段として選択するとともにコピーモード設定時に第二読取部２５を原稿の表面に対応する読取手段として選択する読取選択部３１とを備えている。そして、コピーモードでは原稿の表面を下向きにして最終頁が一番上となるように原稿をセットして読取処理を行い、記録された用紙の記録面が上向き配置となるように排出する。【選択図】図２
2008219640.tif 000002
【特許請求の範囲】
【請求項１】
原稿を搬送する搬送手段と、原稿の搬送路の一方の側に配置されて原稿の一方の面を読み取る第一読取手段と、原稿の搬送路の他方の側に配置されて原稿の他方の面を読み取る第二読取手段とを備えた画像読取装置において、ファックスモード設定時に前記第一読取手段を原稿の表面に対応する読取手段として選択するとともにコピーモード設定時に前記第二読取手段を原稿の表面に対応する読取手段として選択する読取選択手段を備えていることを特徴とする原稿読取装置。
【請求項２】
前記読取選択手段は、コピーモード設定時に前記第一読取手段を原稿の表面に対応する読取手段として選択可能であることを特徴とする請求項１に記載の原稿読取装置。
【発明の詳細な説明】
【技術分野】
【０００１】
本発明は、複写機、ファクシミリ装置、スキャナ等において原稿を読み取るための原稿読取装置に関する。
【背景技術】
【０００２】
上述のような原稿読取装置では、ＡＤＦ等の原稿搬送部を備え、原稿トレイに積載された複数の原稿を１枚ずつ自動的に搬送して読取位置に配置されたＣＩＳ等のイメージセンサにより搬送される原稿を読み取るようになっている。
【０００３】
こうした原稿読取装置では、特許文献１に記載されているように、原稿の両面を読み取るために原稿の反転搬送により表面及び裏面を交互に読み取ったり、特許文献２に記載されているように、原稿の搬送路に２つの読取手段を配置して原稿の搬送中に表面及び裏面を同時に読み取ることが提案されている。
【０００４】
また、特許文献３では、用紙に画像形成処理を行う場合に用紙の上面に画像形成処理を行って排出する画像形成装置が記載されている。こうしたタイプの画像形成装置は、装置の大きさがコンパクト化でき、トナーカートリッジ等の消耗品に対して上方から交換や点検を行うこと可能となって容易にメンテナンス作業を行えるといったメリットを備えている。
【特許文献１】特開２００１−３５０２９８号公報
【特許文献２】特開２００５−１６７４７７号公報
【特許文献３】特開平１１−７１９８号公報
【発明の開示】
【発明が解決しようとする課題】
【０００５】
上述した特許文献では、原稿の片面読取動作とともに両面読取動作も可能となるようにされているが、片面読取動作を行なう場合、原稿の読取面を上向きにして原稿トレイに載置して読取動作を行なうようになっている。そして、原稿を１頁目から順次搬送して読取っていき、読取データを一旦保存しておき画像形成処理部に出力し、読取データに基づいて用紙に記録動作が行われる。
【０００６】
特許文献３に記載の画像形成装置の場合、記録される用紙を排出トレイに排出する際に記録面を上向きにして排出するため、最終頁の読取データから記録動作を行なうようにする必要があり、そのためすべての原稿読取動作を完了してから記録動作を行うようになる。そのため、記録動作が終了するまで時間がかかり、またすべての原稿の読取データを保存しなければならない。
【０００７】
そこで、本発明は、記録面を上向きにして排出する場合にも記録動作が速やかに行うことができる原稿読取装置を提供することを目的とするものである。
【課題を解決するための手段】
【０００８】
本発明に係る原稿読取装置は、原稿を搬送する搬送手段と、原稿の搬送路の一方の側に配置されて原稿の一方の面を読み取る第一読取手段と、原稿の搬送路の他方の側に配置されて原稿の他方の面を読み取る第二読取手段とを備えた画像読取装置において、ファックスモード設定時に前記第一読取手段を原稿の表面に対応する読取手段として選択するとともにコピーモード設定時に前記第二読取手段を原稿の表面に対応する読取手段として選択する読取選択手段を備えていることを特徴とする。さらに、前記読取選択手段は、コピーモード設定時に前記第一読取手段を原稿の表面に対応する読取手段として選択可能であることを特徴とする。
【発明の効果】
【０００９】
上記のような構成を有することで、両面読取動作に用いる第一及び第二読取手段を、ファックスモードでは第一読取り手段を原稿の表面の読取手段として選択し、コピーモードでは第二読取手段を原稿の表面の読取手段とし選択しているので、ファックスモードでは原稿の表面を上向きに載置して従来と第１頁から第一読取り手段により読取り動作を行ない、コピーモードでは原稿の表面を下向きに載置して最終頁から第二読取手段により読取り動作を行って最終頁から記録動作を行なうことが可能となる。したがって、コピーモードにおいて、記録された用紙の面面を上向きにして排出することができ、従来に比べ記録動作時間を短縮するとともに読取りデータをすべて保存しておく必要がなくなる。
【００１０】
また、コピーモード設定時に前記第一読取手段を原稿の表面に対応する読取手段として選択可能にすることで、原稿の枚数が少ない場合にファックスモードと同様に原稿を上向きに載置して読取り動作を行なうことが可能となる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態である原稿読取装置の全体構成図である。原稿読取装置１０は、オートドキュメントフィーダー（以下、「ＡＤＦ」という）１１と、フラットベッドスキャナ（以下、「ＦＢＳ」という）１２とを備えており、ＡＤＦ１１は、図に示すように、上フレーム１３、中間フレーム１４、及び下フレーム１５により構成され、各フレームが所定の間隔をおいて互いに向かい合うようにして配置されて、Ｕ字状の原稿搬送路１６が形成されている。
【００１３】
原稿トレイ１７上にセットされた原稿Ｐは、ピックアップローラ１８によって原稿搬送路１６へ１枚ずつ搬入され、原稿搬送路１６に沿って適宜配置された搬送ローラ１９によって搬送され、排出ローラ２０及び押圧ローラ２１によって排出トレイ２２に排出される。
【００１４】
ＡＤＦ１１では、ＦＢＳ１２の原稿載置面であるプラテンガラス２３の下方に設けられた第一読取部２４により、原稿搬送路１６を搬送される原稿Ｐの一方の面が読み取られた後、第二読取部２５により原稿Ｐの他方の面が読み取られることで原稿Ｐの両面読取動作が行なわれる。
【００１５】
第一読取手段２４は、光源から読取位置に対して照射される光の反射光をミラー等の光学素子を用いてＣＣＤ等の読取センサにより読取るようになっている。また、第二読取手段２５は、例えば、密着型イメージセンサ（Contact Image Sensor、以下「ＣＩＳ」という。）等を用いて、原稿搬送路１６を搬送される原稿Ｐに対して光源から光を照射し、その反射光を収束性ファイバで読取センサに収束して読み取るようになっている。
【００１６】
図２は、原稿読取装置１０に関するブロック構成図である。原稿読取装置１０は、装置全体の動作を制御する制御部３０、操作キーや液晶表示パネルを備えた操作表示部３２及び読取データを保存する記憶部３３を備えている。そして、制御部３０には、操作表示部３２で操作選択されたファックスモードやコピーモードに基づいて第一及び第二読取部２４及び２５のいずれかを原稿の表面の読取手段として選択する読取選択部３１を備えている。
【００１７】
制御部３０は、第一及び第二読取部２４及び２５からの読取データを記憶部３３に保存し、選択されたファックスモードやコピーモードに基づいて読取データを画像形成処理部１００又はＦＡＸ送信部２００に出力する。
【００１８】
図３は、原稿読取処理に関するフローである。まず、原稿が原稿トレイにセットされたか原稿検知センサ等によりチェックし（Ｓ１００）、原稿がセットされたことが検知された場合には操作表示部３２においてファックスモードが操作選択されたかチェックする（Ｓ１０１）。
【００１９】
ファックスモードが選択された場合には、第一読取部２４を原稿の表面の読取手段として選択する（Ｓ１０２）。この場合には、原稿の表面を上向きにして原稿トレイに載置し、一番上が第１頁で一番下が最終頁となるように原稿をセットする。図４に示すように、原稿をこのようにセットして読取処理を行うことで（Ｓ１０３）、原稿の第１頁（Ｐ１）から順次搬送されて第一読取部２４で原稿の表面を読み取り読取データを記憶部３３に記憶していく（Ｓ１０４）。そして、すべての原稿を読み取ったかチェックし（Ｓ１０５）、図４の場合には第１頁（Ｐ１）から順次読み取って最終頁である第４頁（Ｐ４）まで読み取ると、すべての読取データ（図４では４頁分）をＦＡＸ送信部２００に出力して終了する（Ｓ１０６）。
【００２０】
ステップＳ１０１において操作選択されたモードがファックスモードでない場合には、コピーモードかチェックし（Ｓ１０７）、コピーモードでない場合には他のモード処理を行う。コピーモードの場合には、原稿の上向き配置が選択されたかチェックし（Ｓ１０８）、選択されていない場合には第二読取部２５を原稿の表面の読取手段として選択する（Ｓ１０９）。この場合には、原稿の表面を下向きにして原稿トレイに載置し、一番上が最終頁で一番下が第１頁となるように原稿をセットする。図５に示すように、原稿をこのようにセットして読取処理を行うことで（Ｓ１１０）、原稿の最終頁（Ｐ４）から順次搬送されて第二読取部２５で原稿の表面を読み取り読取データを記憶部３３に記憶する（Ｓ１１１）。記憶された読取データは頁毎に画像形成処理部１００に出力されて用紙に記録される（Ｓ１１２）。そして、記録された用紙を記録面が上向きとなるように排出していく。
【００２１】
すべての原稿を読み取ったかチェックし（Ｓ１１３）、読み取っていない原稿が原稿トレイに残っている場合には次の原稿を読み取っていく。こうして原稿を読み取る毎に用紙に記録していき、記録された用紙を記録面が上向きとなるようにして積載していくことで、最終頁を一番下にして一番上が第１頁となるように積載することができる。
【００２２】
以上のような読取処理を行うことで、用紙の記録面を上向きにして排紙する処理を読取処理を行いながら用紙に記録動作を行なうことができ、記録動作時間を短縮することが可能となる。また、原稿の枚数が多い場合にも読取データをすべて保存する必要がないので、記憶部３３のメモリ容量も小さくすることができる。
【００２３】
ステップＳ１０８で原稿の上向き配置が選択された場合には、第一読取部２４を原稿の表面の読取手段として選択する（Ｓ１１４）。この場合には、原稿の表面を上向きにして原稿トレイに載置し、一番上が第１頁で一番下が最終頁となるように原稿をセットする。図４に示すように、原稿をこのようにセットして読取処理を行うことで（Ｓ１１５）、原稿の第１頁（Ｐ１）から順次搬送されて第一読取部２４で原稿の表面を読み取り読取データを記憶部３３に記憶していく（Ｓ１１６）。そして、すべての原稿を読み取ったかチェックし（Ｓ１１７）、図４の場合には第１頁（Ｐ１）から順次読み取って最終頁である第４頁（Ｐ４）まで読み取ると、すべての読取データ（図４では４頁分）を画像形成処理部１００に出力して終了する（Ｓ１１８）。
【００２４】
原稿の枚数が数枚の場合には、原稿の上向き配置を選択して用紙に記録動作を行なうことも可能となり、読取処理の選択の幅が広がり利便性を向上させることができる。
【００２５】
以上の説明では、原稿の片面読取動作を説明したが、原稿の両面読取動作の場合にも適用できる。この場合には、ステップＳ１０９において第一読取部２４を用紙の裏面の読取手段に選択されることになり、裏面の読取データを保存して表面の読取データとともに画像形成処理部に出力すればよい。そして、用紙に両面記録した後表面の読取データを記録した面が上向きとなるように排出する。
【図面の簡単な説明】
【００２６】
【図１】本発明に係る実施形態に関する原稿読取装置全体の概略断面図である。
【図２】原稿読取装置に関するブロック構成図である。
【図３】原稿読取処理に関するフローである。
【図４】セットした原稿を第一及び第二読取部により読み取る動作に関する説明図である。
【図５】セットした原稿を第一及び第二読取部により読み取る動作に関する説明図である。
【符号の説明】
【００２７】
10    原稿読取装置
11    ＡＤＦ
12    ＦＢＳ
24    第一読取部
25    第二読取部
30    制御部
31    読取選択部
【図１】
2008219640.tif 000003
【図２】
2008219640.tif 000004
【図３】
2008219640.tif 000005
【図４】
2008219640.tif 000006
【図５】
2008219640.tif 000007